【手続補正書】
【提出日】平成16年9月22日(2004.9.22)
【手続補正１】
【補正対象書類名】明細書
【補正対象項目名】特許請求の範囲
【補正方法】変更
【補正の内容】
【特許請求の範囲】
【請求項１】
サーバ装置と情報通信端末とがネットワークを通じて接続され、前記サーバ装置は、前記情報通信端末からの要求に応じた通信サービスを提供するようにする情報通信システムであって、
前記情報通信端末は、
前記情報通信端末毎に予め定められる識別情報と前記サーバ装置に接続するための接続情報とが予め記録された記憶手段が組み込まれたものであり、
前記記憶手段に記憶されている前記識別情報と前記接続情報とを含む、前記サーバ装置に対する要求を生成して、送出する要求送出手段を備え、
前記サーバ装置は、
前記情報通信端末からの前記要求を受信する受信手段と、
前記受信手段により受信された前記情報通信端末からの要求に応じた処理を実行する処理実行手段と
を備えることを特徴とする情報通信システム。
【請求項２】
サーバ装置と情報通信端末とがネットワークを通じて接続され、前記サーバ装置は、前記情報通信端末からの要求に応じた通信サービスを提供するようにする情報通信システムであって、
前記情報通信端末は、
前記情報通信端末の使用者毎に予め定められる識別情報と前記サーバ装置に接続するための接続情報とが予め記録された記録媒体の装填部と、
前記装填部に装填された前記記録媒体に記憶されている前記使用者識別情報と前記接続情報とを含む、前記サーバ装置に対する要求を生成して、送出する要求送出手段を備え、
前記サーバ装置は、
前記情報通信端末からの前記要求を受信する受信手段と、
前記受信手段により受信された前記情報通信端末からの要求に応じた処理を実行する処理実行手段と
を備えることを特徴とする情報通信システム。
【請求項３】
前記サーバ装置に対する前記要求には、前記サーバ装置のサービスを得られる端末であるか否かの認証のための情報が含まれていることを特徴とする請求項１または請求項２に記載の情報通信システム。
【請求項４】
前記情報通信端末と前記サーバ装置とが接続される前記ネットワークは、携帯型の電話端末用のネットワークを含み、前記情報通信端末は、前記携帯型の電話端末用の無線基地局を通じて通信するための無線通信手段を備えることを特徴とする請求項１、請求項２または請求項３に記載の情報通信システム。
【請求項５】
サーバ装置とネットワークを通じて接続され、前記サーバ装置より自己の要求に応じた通信サービスの提供を受ける情報通信端末であって、
前記情報通信端末毎に予め定められる識別情報と前記サーバ装置に接続するための接続情報とが予め記録された記憶手段が組み込まれており、
前記記憶手段に記憶されている前記識別情報と前記接続情報とを含む、前記サーバ装置に対する要求を生成して、送出する要求送出手段を備えることを特徴とする情報通信端末。
【請求項６】
サーバ装置とネットワークを通じて接続され、前記サーバ装置より自己の要求に応じた通信サービスの提供を受ける情報通信端末であって、
前記情報通信端末の使用者毎に予め定められる使用者識別情報と、前記サーバ装置に接続するための接続情報とが予め記録された記録媒体の装填部と、
前記装填部に装填された前記記録媒体に記憶されている前記使用者識別情報と前記接続情報とを含む、前記サーバ装置に対する要求を生成して、送出する要求送出手段と
を備えることを特徴とする情報通信端末。
【請求項７】
前記サーバ装置に対する前記要求には、前記サーバ装置のサービスを得られる端末であるか否かの認証のための情報が含まれていることを特徴とする請求項５または請求項６に記載の情報通信端末。
【請求項８】
前記ネットワークは、携帯型の電話端末用のネットワークを含み、
携帯型の電話端末用の無線基地局を通じて通信するための無線通信手段を備えることを特徴とする請求項５、請求項６または請求項７に記載の情報通信端末。
【請求項９】
サーバ装置と情報通信端末とがネットワークを通じて接続され、前記サーバ装置は、前記情報通信端末からの要求に応じた通信サービスを提供するようにする情報通信方法あって、
前記情報通信端末には、前記情報通信端末毎に予め定められる識別情報と前記サーバ装置に接続するための接続情報とが予め記録された記憶手段が組み込まれており、
前記情報通信端末は、前記記憶手段に記憶されている前記識別情報と前記接続情報とを含む、前記サーバ装置に対する要求を生成して、送出するものであり、
前記情報通信端末を使用者に配布して、配布した前記情報通信端末を用いて、前記サーバ装置に対して接続を要求し、
前記サーバ装置は、前記接続要求に応じて接続された通信路を通じて前記情報通信端末から送信されてくる前記要求に応じた処理を実行することを特徴とする情報通信方法。
【請求項１０】
サーバ装置と情報通信端末とがネットワークを通じて接続され、前記情報通信端末からの要求に応じたデータ通信サービスを提供するようにする情報通信方法あって、
前記情報通信端末の使用者毎に予め定められる識別情報と前記サーバ装置に接続するための接続情報とが予め記録された記憶媒体を用意し、
前記情報通信端末を用いるときには、前記情報通信端末が備える装填部に前記記録媒体を装填し、
前記情報通信端末は、前記装填部に装填された前記記憶媒体に記憶されている前記使用者識別情報と前記接続情報とを含む、前記サーバ装置に対する要求を生成して、送出するものであり、
前記記録媒体を前記情報通信端末を使用する使用者に配布し、配布した前記記録媒体を前記情報通信端末の前記装填部に装填して、前記サーバ装置に対して接続を要求し、
前記サーバ装置は、前記接続要求に応じて接続された通信路を通じて前記情報通信端末から送信されてくる前記要求に応じた処理を実行することを特徴とする情報通信方法。
【請求項１１】
サーバ装置と情報通信端末とがネットワークを通じて接続され、前記サーバ装置は、前記情報通信端末からの要求に応じた通信サービスを提供するようにする情報通信システムであって、
前記情報通信端末は、
前記情報通信端末毎に予め定められる識別情報が予め記録された記憶手段と、
前記記憶手段に記憶されている前記識別情報を読み出し、前記識別情報を含む要求情報を生成する生成手段と、
前記サーバに対して前記要求情報を送出する送出手段と
を備え、
前記サーバ装置は、
前記情報通信端末からの前記要求情報を受信する受信手段と、
前記受信手段により受信された前記要求情報に含まれる前記識別情報に基づいて、認証処理を実行する処理手段と
を備えることを特徴とする情報通信システム。
【請求項１２】
サーバ装置と情報通信端末とがネットワークを通じて接続され、前記サーバ装置は、前記情報通信端末からの要求に応じた通信サービスを提供するようにする情報通信システムであって、
前記情報通信端末は、
前記情報通信端末の使用者毎に予め定められる使用者識別情報が予め記録された記録媒体の装填部と、
前記装填部に装填された前記記録媒体に記憶されている前記使用者識別情報を読み出し、前記使用者識別情報を含む要求情報を生成する生成手段と、
前記サーバに対して前記要求情報を送出する送出手段と
を備え、
前記サーバ装置は、
前記情報通信端末からの前記要求情報を受信する受信手段と、
前記受信手段により受信された前記要求情報に含まれる前記使用者識別情報に基づいて、認証処理を実行する処理手段と
を備えることを特徴とする情報通信システム。
【請求項１３】
サーバ装置とネットワークを通じて接続され、前記サーバ装置より自己の要求に応じた通信サービスの提供を受ける情報通信端末であって、
前記情報通信端末毎に予め定められる識別情報が予め記録された記憶手段と、
前記記憶手段に記憶されている前記識別情報を読み出し、前記識別情報を含む要求情報を生成する生成手段と、
前記サーバに対して前記要求情報を送出する送出手段と
を備えることを特徴とする情報通信端末。
【請求項１４】
サーバ装置とネットワークを通じて接続され、前記サーバ装置より自己の要求に応じた通信サービスの提供を受ける情報通信端末であって、
前記情報通信端末の使用者毎に予め定められる使用者識別情報が予め記録された記録媒体の装填部と、
前記装填部に装填された前記記録媒体に記憶されている前記使用者識別情報を読み出し、前記使用者識別情報を含む要求情報を生成する生成手段と、
前記サーバに対して前記要求情報を送出する送出手段と
を備えることを特徴とする情報通信端末。